(57)【特許請求の範囲】
【請求項１】
帯状に形成され、一方の長片側に設けられた複数個のＶ字溝と、これらＶ字溝の間から延出したティースとを有する固定子であって、この固定子の各々のＶ字溝の折曲点を支点にして折り曲げ、筒状に形成されるモータの固定子において、
それぞれの巻線の渡り線が、折り曲げの支点上付近を通るように、前記巻線の渡り線が収納される絶縁材の溝を、固定子の端面の外周部に沿って周方向に上下に複数個形成した
ことを特徴とするモータの固定子。
【発明の詳細な説明】
【０００１】
【産業上の利用分野】
帯状に形成され、一方の長片側に設けられた複数個の溝を有する固定子であって、この固定子のそれぞれの溝を支点に折り曲げて、筒状に形成されるモータの固定子に関する。
【０００２】
【従来の技術】
従来における渡り線の処理方法を図３〜図６を用いて説明する。図３は、従来における固定子の正面図である。図４は、図３の渡り線が配設された絶縁材部の拡大断面図である。図５は、他の従来例である帯状の固定子における渡り線が配設された絶縁材部の拡大正面図である。図６は、図５の固定子を折り曲げた際の渡り線が配設された絶縁材部の拡大正面図である。
【０００３】
図３において、固定子コア１５は、筒状に形成されたバックヨーク１６と、このバックヨーク１６の内周面より軸心に向かって延出した複数個のティース１７とで構成されている。
【０００４】
また、固定子１８は、固定子コア１５のティース１７に絶縁材１９を介して巻線２０が巻回されて構成されている。また、固定子コア１５の一方の端面の外周側には、絶縁材１９を延出して、巻線２０の渡り線２０ａのための通り道１９ａが形成されている。この通り道１９ａにより、それぞれのティース１７に巻回されている巻線２０の端末間の接続を行っている。
【０００５】
図４において、前述した通り道１９ａには、複数本の渡り線２０ａが配設されるため、階段状に渡り線２０ａの通り道１９ａを形成して、それぞれの渡り線２０ａが接触しないように絶縁を行っている。
【０００６】
図５において、固定子コア２１は、帯状に形成されたバックヨーク２２と、このバックヨーク２２の一方の側面から延出した複数個のティース２３とで構成されている。また、このティース２３の間であって、バックヨーク２２の側面には、Ｖ字状のＶ字溝２４が設けられている。
【０００７】
固定子２５は、固定子コア２１のそれぞれのティース２３に巻回された巻線２６と、この巻線２６と固定子コア２１の間に設けられ、巻線２６と固定子コア２１の絶縁を行うための絶縁材２７とで構成されている。この絶縁材２７は、固定子コア２１の端面の外周部にも延出して設けられており、前述した巻線２６の渡り線２６ａを配設するために階段状に形成されている。
【０００８】
そして、それぞれの巻線２６をティース２３に巻回す巻線方法として、まず、巻線２６の一方の先端（巻線の巻始め）を任意の箇所に固定して、巻線機２８により、巻線２６を所定のティース２３に巻回す。そして、このティース２３に巻線２６を巻終えると、巻終わった巻線２６の端末（巻線の巻終わり）を把持しながら、巻線機２７は、次に巻線２６が巻回されるティース２３に移動して、このティース２３に巻線２６を巻回す。このとき、巻線２６の渡り線２６ａを絶縁材２７の任意の段の段付き部に押しつけながら、巻線機２８を移動させる。また、それぞれの渡り線２６ａが重なり合わないように配設する。
【０００９】
図６において、帯状の固定子２５が折り曲げられて筒状に形成されると、巻線２６の渡り線２６ａの内、折り曲げの支点よりも内周側に配設されている渡り線２６ａには、たるみが発生する。
【００１０】
【発明が解決しようとする課題】
以上のように、帯状に形成された固定子のそれぞれの溝を支点に折り曲げて、筒状に形成されるモータの固定子において、階段状に形成された絶縁材上に配設される渡り線の内、折り曲げの支点よりも内周側に配設されている渡り線は、帯状の固定子を折り曲げて、筒状の固定子を形成することにより、たるみが発生する。よって、隣接する渡り線と接触する可能性がでてくる。また、断線の原因ともなる。
【００１１】
【課題を解決するための手段】
そこで、本発明によれば、それぞれの巻線の渡り線が、折り曲げの支点上付近を通るように、前記巻線の渡り線が収納される絶縁材の溝を、固定子の端面の外周部に沿って周方向に上下に複数個形成したことを特徴とするモータの固定子を提供する。
【００１２】
【作  用】
すべての巻線の渡り線が折り曲げの支点上を通るような形状にして、絶縁材を形成することにより、固定子が折り曲げられた後の渡り線に、たるみが発生しなくなる。
【００１３】
【実施例】
本発明における実施例を図１および図２を用いて説明する。図１は、本発明における固定子の端面に配設された渡り線の一部の拡大正面図である。図２は、渡り線が収納された絶縁材の拡大断面図である。
【００１４】
図１および図２において、固定子コア１は、帯状に形成されたバックヨーク２と、このバックヨーク２の一方の側面から延出した複数個のティース３とで構成されている。また、これらティース３の間のバックヨーク２側面には、Ｖ字状のＶ字溝４が設けられている。
【００１５】
また、固定子５は、固定子コア１のそれぞれのティース３に巻回された巻線６と、この巻線６と固定子コア１の間に設けられ、巻線６と固定子コア１との絶縁を行うための絶縁材７とで構成されている。
【００１６】
この絶縁材７は、固定子コア１の一方の端面の外周部にも延出して形成されており、巻線６の渡り線６ａを配設するために、固定子５の外周方向に向かって開口した複数個の外周溝８が形成されている。また、各巻線６の端末を外周溝８へ導くための縦溝７ａが各ティース３付近の絶縁材７に設けられている。
【００１７】
そして、従来例で述べたように、巻線機９を用いて巻線６をティース３に巻回して固定子５が形成されている。
【００１８】
また、巻線６の渡り線６ａは、縦溝７ａを介して、外周溝８に収納されている。また、この外周溝８は、すべての巻線６の渡り線６ａが折り曲げの支点上を通るような形状、および寸法にして、絶縁材７を形成することにより、帯状の固定子５が折り曲げられた後の渡り線６ａに、たるみが発生しなくなる。
【００１９】
【発明の効果】
本発明によれば、巻線の渡り線の断線を防止することができる。
【図面の簡単な説明】
【図１】  本発明における固定子の端面に配設された渡り線の一部の拡大正面図。
【図２】  渡り線が収納された絶縁材の拡大断面図。
【図３】  従来における固定子の正面図。
【図４】  図３の渡り線が配設された絶縁材部の拡大断面図。
【図５】  他の従来例である帯状の固定子における渡り線が配設された絶縁材部の拡大正面図。
【図６】  図５の固定子を折り曲げた際の渡り線が配設された絶縁材部の拡大正面図。
【符号の説明】
１、１５、２１…固定子コア
２、１６、２２…バックヨーク
３、１７、２３…ティース
４、２４…Ｖ字溝
５、１８、２５…固定子
６、２０、２６…巻線
７、１９、２７…絶縁材
８…外周溝
９、２８…巻線機
【図１】
0003692722.tif 000002
【図２】
0003692722.tif 000003
【図３】
0003692722.tif 000004
【図４】
0003692722.tif 000005
【図５】
0003692722.tif 000006
【図６】
0003692722.tif 000007